(57)【要約】【課題】本発明の目的は、所要帯域がＢＢＵ−ＲＲＵ間の通信容量を超える場合であっても任意の無線端末の信号を正しく復調でき、スプリアス発生を防止できる分散型無線通信基地局システム及び分散型無線通信基地局の通信方法を提供することである。【解決手段】本発明は、ＢＢＵ−ＲＲＵ間で伝送を行う信号に対して、任意の周波数帯域の無線信号の電力を抑圧し（周波数軸帯域制限をかけ）、サンプリング周波数を低減することで、所要帯域をＢＢＵ−ＲＲＵ間の通信容量以下とすることとした。【選択図】図１
2014204133.tif 000002
【特許請求の範囲】
【請求項１】
無線端末と無線信号を送受信する基地局の機能が信号処理装置（ＢＢＵ：Ｂａｓｅ  Ｂａｎｄ  Ｕｎｉｔ）と無線装置（ＲＲＵ：Ｒｅｍｏｔｅ  Ｒａｄｉｏ  Ｕｎｉｔ）に分割され、前記ＢＢＵと前記ＲＲＵとを光ファイバで接続して前記ＢＢＵと前記ＲＲＵとの間の伝送信号を光信号でＲｏＦ（Ｒａｄｉｏ  ｏｖｅｒ  Ｆｉｂｅｒ）伝送する分散型無線通信基地局システムであって、
前記伝送信号の伝送量が増加して予め設定された第一の閾値に達したとき、前記伝送信号の周波数帯域のうちの一部のみを透過する帯域制限機能と、
前記伝送信号の伝送量が増加して予め設定された第一の閾値に達したとき、前記帯域制限機能が透過した前記伝送信号のサンプリング周波数を所定値から低下させるサンプリング周波数変更機能と、
前記伝送信号を受信した際にサンプリング周波数が前記所定値から低下しているときに、前記伝送信号のサンプリング周波数を所定値に復元するサンプリング周波数復元機能と、
を備えることを特徴とする分散型無線通信基地局システム。
【請求項２】
前記帯域制限機能及び前記サンプリング周波数変更機能は、前記伝送信号の一部周波数帯域の信号のみを透過してサンプリング周波数を所定値から低下させた後、前記伝送信号の伝送量が減少して予め設定された第二の閾値に達したとき、前記伝送信号の帯域制限を解除してサンプリング周波数を所定値に回復することを特徴とする請求項１に記載の分散型無線通信基地局システム。
【請求項３】
前記サンプリング周波数変更機能は、前記無線端末に無線帯域を割り当てる無線帯域割当情報に基づいて前記伝送信号の伝送量を把握することを特徴とする請求項１又は２に記載の分散型無線通信基地局システム。
【請求項４】
前記サンプリング周波数変更機能は、前記伝送信号から前記無線端末に割り当てられている無線帯域の情報を取得し、前記ＲＲＵ毎のサンプリング周波数の累計値に基づいて前記伝送信号の伝送量を把握することを特徴とする請求項１又は２に記載の分散型無線通信基地局システム。
【請求項５】
無線端末と無線信号を送受信する基地局の機能が信号処理装置（ＢＢＵ：Ｂａｓｅ  Ｂａｎｄ  Ｕｎｉｔ）と無線装置（ＲＲＵ：Ｒｅｍｏｔｅ  Ｒａｄｉｏ  Ｕｎｉｔ）に分割され、前記ＢＢＵと前記ＲＲＵとを光ファイバで接続して前記ＢＢＵと前記ＲＲＵとの間の伝送信号を光信号でＲｏＦ（Ｒａｄｉｏ  ｏｖｅｒ  Ｆｉｂｅｒ）伝送する分散型無線通信基地局の通信方法であって、
前記伝送信号の伝送量が増加して予め設定された第一の閾値に達したとき、前記伝送信号の周波数帯域のうちの一部のみを透過する帯域制限手順と、
前記伝送信号の伝送量が増加して予め設定された第一の閾値に達したとき、前記帯域制限機能が透過した前記伝送信号のサンプリング周波数を所定値から低下させるサンプリング周波数変更手順と、
前記伝送信号を受信した際にサンプリング周波数が前記所定値から低下しているときに、前記伝送信号のサンプリング周波数を所定値に復元するサンプリング周波数復元手順と、
を行うことを特徴とする分散型無線通信基地局の通信方法。
【請求項６】
前記帯域制限手順と前記サンプリング周波数変更手順で、前記伝送信号の一部周波数帯域の信号のみを透過してサンプリング周波数を所定値から低下させた後、前記伝送信号の伝送量が減少して予め設定された第二の閾値に達したとき、前記伝送信号の帯域制限を解除してサンプリング周波数を所定値に回復することを特徴とする請求項５に記載の分散型無線通信基地局の通信方法。
【請求項７】
前記サンプリング周波数変更手順で、前記無線端末に無線帯域を割り当てる無線帯域割当情報に基づいて前記伝送信号の伝送量を把握することを特徴とする請求項５又は６に記載の分散型無線通信基地局の通信方法。
【請求項８】
前記サンプリング周波数変更手順で、前記伝送信号から前記無線端末に割り当てられている無線帯域の情報を取得し、前記ＲＲＵ毎のサンプリング周波数の累計値に基づいて前記伝送信号の伝送量を把握することを特徴とする請求項５又は６に記載の分散型無線通信基地局の通信方法。
【発明の詳細な説明】
【技術分野】
【０００１】
本発明は、無線通信基地局の機能が信号処理部と無線通信部に分割され物理的に離れた構成である分散型無線通信基地局システム及びその通信方法に関する。
【背景技術】
【０００２】
セルラーシステムにおいて、セル構成の自由度を向上するため、基地局の機能を信号処理部（ＢＢＵ：  Ｂａｓｅ  Ｂａｎｄ  Ｕｎｉｔ）とＲＦ部（ＲＲＵ：  Ｒｅｍｏｔｅ  Ｒａｄｉｏ  Ｕｎｉｔ）に分割して物理的に離れた構成とする事が検討されている。この時ＢＢＵ−ＲＲＵ間において無線信号はＲｏＦ（Ｒａｄｉｏ  ｏｖｅｒ  Ｆｉｂｅｒ）技術により伝送される。ＲｏＦ技術は光伝送方法によりアナログＲｏＦ技術とデジタルＲｏＦ技術に大別できるが、近年は伝送品質に優れたデジタルＲｏＦ技術の検討が盛んであり、ＣＰＲＩ（Ｃｏｍｍｏｎ  Ｐｕｂｌｉｃ  Ｒａｄｉｏ  Ｉｎｔｅｒｆａｃｅ）［１］等の標準化団体の下、使用策定が進められている。またＢＢＵ−ＲＲＵ間の接続媒体として、同軸ケーブルや光ファイバ等が用いられるが、特に光ファイバによって接続する事により、伝送距離を拡大する事ができる。
【０００３】
一つのＢＢＵが複数のＲＲＵを収容する事もできる。これにより、各ＲＲＵに必要なＢＢＵを一つに集約する事ができ、運用／設置コストを削減することが可能となる。このような形態の一例として、図６に示すよう、ＢＢＵ−ＲＲＵ間をＰＯＮ（Ｐａｓｓｉｖｅ  Ｏｐｔｉｃａｌ  Ｎｅｔｗｏｒｋ）システムで接続する形態が提案されている。ＰＯＮの信号多重方法としては、ＴＤＭ（Ｔｉｍｅ  Ｄｉｖｉｓｉｏｎ  Ｍｕｌｔｉｐｌｅｘ）、ＷＤＭ（Ｗａｖｅｌｅｎｇｔｈ  Ｄｉｖｉｓｉｏｎ  Ｍｕｌｔｉｐｌｅｘ），ＦＤＭ（Ｆｒｅｑｕｅｎｃｙ  Ｄｉｖｉｓｉｏｎ  Ｍｕｌｔｉｐｌｅｘ）等が選択できる。
【０００４】
また、ＲＲＵが複数のアンテナを備えている場合は、一つのＢＢＵが一つのＲＲＵに対して信号を伝送する場合においても、ＢＢＵ−ＲＲＵ間で複数の無線信号が多重されて伝送される事となる。この場合の信号多重方法も、ＴＤＭ、ＷＤＭ、ＦＤＭ等が選択できる。
【先行技術文献】
【非特許文献】
【０００５】
【非特許文献１】ＣＰＲＩ，“ＣＰＲＩ  Ｓｐｅｃｉｆｉｃａｔｉｏｎ  Ｖ５．０”，Ｓｅｐ．，２０１１，ｈｔｔｐ：／／ｗｗｗ．ｃｐｒｉ．ｉｎｆｏ／ｓｐｅｃ．ｈｔｍｌ
【発明の概要】
【発明が解決しようとする課題】
【０００６】
ＬＴＥ（Ｌｏｎｇ  Ｔｅｒｍ  Ｅｖｏｌｕｔｉｏｎ）やＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等のセルラーシステムにおいて、端末がユーザデータを送受信するためには、端末固有の通信チャネル（無線帯域）が必要である。この無線帯域の割当は基地局により行われる。ＬＴＥシステムを例に取ると、図８に示すよう、基地局は最小１ｍｓ周期でスケジューリングを行い各端末へ無線帯域割当を行う。無線帯域割当はリソースブロック（ＲＢ：  Ｒｅｓｏｕｒｃｅ  Ｂｌｏｃｋ）単位で行われ、１ＲＢは１８０ｋＨｚの周波数領域、０．５ｍｓの時間領域で構成される。システム帯域幅が２０ＭＨｚの場合には、周波数軸上に１１０個のＲＢが存在する。また１ＲＢの中には、通常のサイクリックプレフィックスを想定すると、７シンボル（サイクリックプレフィックスを入れて１シンボル７１．４μｓ）が挿入されている。一方基地局が端末へ送信する信号には、各端末向けのユーザデータだけでなく、制御情報（スケジューリング情報やＡＣＫ／ＮＡＣＫ判定結果等）、端末がチャネル推定を行うための参照信号（全端末向けに送信されるセル固有参照信号や、個別の端末向けに送信されるＵＥ固有参照信号等がある）、各端末が基地局と同期を取るための同期信号等が送信される。
【０００７】
参照信号等を用いて推定された基地局−端末間のチャネル品質情報は、基地局に集められる。基地局はこのチャネル品質情報を用いて、各端末へチャネル品質の良い無線帯域を割り当てるスケジューリングや、各端末が所要受信品質を満たすような変調方式／符号化率の決定を行う。
【０００８】
ＢＢＵ−ＲＲＵ間のデジタルＲｏＦ伝送技術は本発明に関連する技術であり、以後、当該タイプを関連技術と呼ぶ。また、ＢＢＵで作成した無線信号のＩ軸Ｑ軸ごとのデジタル信号（ＩＱデータ）を光信号に変換してＲＲＵへ伝送し、ＲＲＵで受信した光信号を無線信号に変換して、端末へと送信するリンクを下りリンクと呼ぶ。一方、端末が送信した無線変調信号をＲＲＵで受信し、受信した無線信号を光信号に変換してＢＢＵへ伝送し、ＢＢＵで受信した光信号をＩＱデータに変換して信号の復調を行うリンクを上りリンクと呼ぶ。
【０００９】
関連技術のＲＲＵの装置構成例を図９に示す。ＲＲＵ１２０は上りリンクの信号処理のため、無線信号の送／受信を行うアンテナ１１と、送信／受信を切り替える送受切替部１２と、受信した無線信号の信号電力を信号処理ができるレベルまで増幅する増幅器２１と、無線信号をダウンコンバートするダウンコンバート部２２と、ダウンコンバートされたアナログ信号をＩＱデータに変換するＡ／Ｄ変換部２３と、ＩＱデータに対してフィルタリング処理を行うベースバンドフィルタ部（上り）２４と、ＩＱデータとＢＢＵ−ＲＲＵ間の制御信号を多重するフレーム変換部２５と、電気信号を光信号に変換して送信するＥ／Ｏ変換部２６を有する。送受切替部１２は、ＦＤＤ（Ｆｒｅｑｕｅｎｃｙ  Ｄｉｖｉｓｉｏｎ  Ｄｕｐｌｅｘ）と、ＴＤＤ（Ｔｉｍｅ  Ｄｉｖｉｓｉｏｎ  Ｄｕｐｌｅｘ）のどちらにも対応できる。
【００１０】
またＲＲＵ１２０は下りリンクの信号処理のため、ＢＢＵ１１０から受信した光信号を電気信号に変換するＯ／Ｅ変換部３１と、受信信号からＢＢＵ−ＲＲＵ間の制御信号及びＩＱデータを取り出すフレーム変換部３２と、ＩＱデータに対してフィルタリング処理を行うベースバンドフィルタ部（下り）３３と、ＩＱデータをアナログ信号に変換するＤ／Ａ変換部３４と、アナログ信号をアップコンバートするアップコンバート部３５と、電力を決められた送信電力まで増幅する増幅器３６と、を有する。
【００１１】
ＲＲＵ１２０は、ＲＲＵ機能部１２０ａとＯＮＵ機能部１５０に分けられる。ＲＲＵ機能部１２０ａは、送受切替部１２、増幅器２１、ダウンコンバート部２２、Ａ／Ｄ変換部２３、ベースバンドフィルタ部２４、ベースバンドフィルタ部３３、Ｄ／Ａ変換部３４、アップコンバート部３５、及び増幅器３６を含む。ＯＮＵ機能部１５０は、フレーム変換部２５、Ｅ／Ｏ変換部２６、Ｏ／Ｅ変換部３１、及びフレーム変換部３２を含む。
【００１２】
関連技術のＢＢＵ１１０の装置構成例を図１０に示す。ＢＢＵ１１０は、下りリンクの信号処理のため、チャネル品質情報を基に無線帯域割当／符号化率／変調方式を決定する無線帯域割当／符号化率／変調方式決定部９０と、決定された符号化率を基にユーザデータ及び制御情報に対して誤り訂正（ＦＥＣ：Ｆｏｒｗａｒｄ  Ｅｒｒｏｒ  Ｃｏｒｒｅｃｔｉｏｎ）符号化を行うＦＥＣ符号化部５３−４と、決定された変調方式を基にユーザデータ及び制御情報のビット系列を変調する一次変調部５３−３と、一次変調部の出力を所定の無線帯域へマッピングするマッピング部５３−２と、一次変調信号を二次変調する二次変調部５３−１と、二次変調部により出力されるＩＱデータとＢＢＵ−ＲＲＵ間の制御信号を多重するフレーム変換部５１と、電気信号を光信号に変換して送信するＥ／Ｏ変換部５２を有する。ここで、ＦＥＣ符号化部５３−４からマッピング部５３−２までの処理である一次変調は、ＱＰＳＫや１６ＱＡＭ等のシンボルマッピングである。二次変調部５３−１の処理である二次変調は、ＣＤＭＡ変調のための拡散やＯＦＤＭ変調のためのＩＦＦＴと考える事ができる。また、二次変調が存在せず一次変調のみ存在する場合もありえる。
【００１３】
またＢＢＵ１１０は、上りリンクの信号処理のため、光信号を電気信号に変換するＯ／Ｅ変換部４１と、受信信号からＢＢＵ−ＲＲＵ間の制御信号及びＩＱデータを取り出すフレーム変換部４２と、ＩＱデータに対して二次復調を行う二次復調部４３−１と、二次復調された信号の所定の無線帯域から信号を取り出すデマッピング部４３−２と、デマッピングされた信号に一次復調を行う一次復調部４３−３と、一次復調された信号に対してＦＥＣ復号化を行うＦＥＣ復号化部４３−４と、デマッピングされた信号の一部からチャネル品質情報を取り出すチャネル品質情報抽出部４３−５を有する。ここで、二次復調とは、二次変調部４３−１がＩＦＦＴ処理を行う場合にはＦＦＴ処理、二次変調部４３−１が拡散処理を行う場合は逆拡散処理を指す。デマッピング部４３−２からＦＥＣ復号化部４３−４までの処理である一次復調とは、一次変調されたＱＰＳＫや１６ＱＡＭ等のシンボルに対して硬判定／軟判定を行う処理を指す。また、二次変調部が存在しない場合は、二次復調部も存在しない。
【００１４】
ＢＢＵ１１０は、ＢＢＵ機能部１１０ａとＯＬＴ機能部１４０に分けられる。ＢＢＵ機能部１１０ａは、無線帯域割当／符号化率／変調方式決定部９０、ＦＥＣ符号化部５３−４、一次変調部５３−３、マッピング部５３−２と、一次変調信号を二次変調する二次変調部５３−１、二次復調部４３−１、デマッピング部４３−２、一次復調部４３−３、ＦＥＣ復号化部４３−４、及びチャネル品質情報抽出部４３−５を含む。ＯＬＴ機能部１４０は、フレーム変換部５１、Ｅ／Ｏ変換部５２、Ｏ／Ｅ変換部４１、及びフレーム変換部４２を含む。
【００１５】
ＣＰＲＩでＬＴＥ（Ｌｏｎｇ  Ｔｅｒｍ  Ｅｖｏｌｕｔｉｏｎ）信号を伝送する場合を例に取ると、システム帯域幅２０ＭＨｚのシステムに対しては３０．７２ＭＨｚのサンプリング周波数が用いられ、またＩ軸とＱ軸のそれぞれに対するデジタルサンプリングにおいて上り信号は４〜２０ビット、下り信号は８〜２０ビットの量子化ビット数が適用される。またフレーム変換部ではフレーム全体の１／１６に制御信号が挿入され、さらに信号は８Ｂ／１０Ｂ符号化した後に伝送される。８Ｂ／１０Ｂ符号化とは、８ビットを１０ビットに変換する符号化処理である。
【００１６】
ＢＢＵ−ＲＲＵ間の帯域を有効に利用するため、送信される情報量を削減する処理（圧縮処理）を用いる場合も考えられる。例えば無線帯域の割当状況によっては、ＲＲＵに帰属する無線端末がいない場合もありえる。この場合には、ＢＢＵ−ＲＲＵ間で情報を伝送する必要が無い。そこで、無線帯域の割当状況に応じてＢＢＵ−ＲＲＵ間の信号送信を停止するような圧縮処理を行う事により、ＢＢＵ−ＲＲＵ間の帯域を有効利用できる。また、常にシステム帯域幅にわたり無線信号が存在するわけではない。無線帯域の割当状況によっては、システム帯域幅のうち一部の帯域にしか無線信号が存在しない場合もありえる。この時は、折り返し信号成分が所望信号成分の信号品質をほとんど劣化しないよう、サンプリング周波数を低減し、送信情報量を削減できる可能性がある。そこで、無線帯域の割当状況に応じて、ＢＢＵ−ＲＲＵ間で用いられるサンプリング周波数の値を低減するような圧縮処理を行う事により、ＢＢＵ−ＲＲＵ間の帯域を有効利用できる。
【００１７】
ＤＢＡ（Ｄｙｎａｍｉｃ  Ｂａｎｄｗｉｄｔｈ  Ａｌｌｏｃａｔｉｏｎ：動的帯域割当）により、ＰＯＮ区間の上りリンク用の帯域を動的に各ＲＲＵへ割り当てる事ができる。ＤＢＡでは、各ＯＮＵが送信バッファ量をＯＬＴへ送信し、ＯＬＴが収集したバッファ量から各ＯＮＵのデータ送信時刻及び時間を計算し、計算した情報を各ＯＮＵに通知し、各ＯＮＵが指定された時刻に指定された時間帯を用いてデータを送信する。これにより、通信トラヒックの少ないＢＢＵ−ＲＲＵ間に割り当てられる帯域幅を少なくし、通信トラヒックの多いＢＢＵ−ＲＲＵ間に割り当てる帯域幅を多くする事ができ、光アクセス区間の帯域を有効に利用できる。このようなシステムにおいては、ＰＯＮ区間の帯域を各ＢＢＵ−ＲＲＵ間の最大所要帯域の合計値より小さく設定しても、ほとんどの時間において帯域不足とならない。
【００１８】
これは、ＢＢＵが複数アンテナを搭載する一つのＲＲＵにデジタルＲｏＦ伝送する際も同じであり、各アンテナ宛のＩＱデータに対して個別に圧縮処理をかけると、ＢＢＵ−ＲＲＵ間の合計所要帯域の平均値が下がるため、ＢＢＵ−ＲＲＵ区間の帯域を各ＢＢＵ−アンテナ間の最大所要帯域の合計値より小さく設定しても、ほとんどの時間において帯域不足とならない。
【００１９】
圧縮処理を前提としたＢＢＵ−ＲＲＵ間伝送では、ＢＢＵ−ＲＲＵ間のトラヒックが瞬時的に増大し、ＢＢＵ−ＲＲＵ間の所要帯域の合計値がＢＢＵ−ＲＲＵ間の帯域の最大値（通信容量）を超える場合がある。この時、変調信号のＩＱデータの一部を伝送することができない。つまり、図１１に示すよう、無線変調信号のある時間区間の信号を伝送できない。周波数軸上には複数の無線端末の信号が存在しており、図１１のように信号を伝送できない時間が存在すると、関連技術は全ての無線端末の信号を正しく復調できない可能性があるという課題がある。また、無線変調信号のある時間区間の信号の振幅値が急激に減少することで無線帯域が広がりスプリアス発生の可能性があるという課題もある。
【００２０】
そこで、本発明は、上記課題を解決するために、所要帯域がＢＢＵ−ＲＲＵ間の通信容量を超える場合であっても任意の無線端末の信号を正しく復調でき、スプリアス発生を防止できる分散型無線通信基地局システム及び分散型無線通信基地局システムの通信方法を提供することを目的とする。
【課題を解決するための手段】
【００２１】
上記目的を達成するために、本発明は、ＢＢＵ−ＲＲＵ間で伝送を行う信号に対して、任意の周波数帯域の無線信号の電力を抑圧し（周波数軸帯域制限をかけ）、サンプリング周波数を低減することで、所要帯域をＢＢＵ−ＲＲＵ間の通信容量以下とすることとした。
【００２２】
具体的には、本発明に係る分散型無線通信基地局システムは、無線端末と無線信号を送受信する基地局の機能が信号処理装置（ＢＢＵ：Ｂａｓｅ  Ｂａｎｄ  Ｕｎｉｔ）と無線装置（ＲＲＵ：Ｒｅｍｏｔｅ  Ｒａｄｉｏ  Ｕｎｉｔ）に分割され、前記ＢＢＵと前記ＲＲＵとを光ファイバで接続して前記ＢＢＵと前記ＲＲＵとの間の伝送信号を光信号でＲｏＦ（Ｒａｄｉｏ  ｏｖｅｒ  Ｆｉｂｅｒ）伝送する分散型無線通信基地局システムであって、
前記伝送信号の伝送量が増加して予め設定された第一の閾値に達したとき、前記伝送信号の周波数帯域のうちの一部のみを透過する帯域制限機能と、
前記伝送信号の伝送量が増加して予め設定された第一の閾値に達したとき、前記帯域制限機能が透過した前記伝送信号のサンプリング周波数を所定値から低下させるサンプリング周波数変更機能と、
前記伝送信号を受信した際にサンプリング周波数が前記所定値から低下しているときに、前記伝送信号のサンプリング周波数を所定値に復元するサンプリング周波数復元機能と、
を備えることを特徴とする。
【００２３】
具体的には、本発明に係る分散型無線通信基地局の通信方法は、無線端末と無線信号を送受信する基地局の機能が信号処理装置（ＢＢＵ：Ｂａｓｅ  Ｂａｎｄ  Ｕｎｉｔ）と無線装置（ＲＲＵ：Ｒｅｍｏｔｅ  Ｒａｄｉｏ  Ｕｎｉｔ）に分割され、前記ＢＢＵと前記ＲＲＵとを光ファイバで接続して前記ＢＢＵと前記ＲＲＵとの間の伝送信号を光信号でＲｏＦ（Ｒａｄｉｏ  ｏｖｅｒ  Ｆｉｂｅｒ）伝送する分散型無線通信基地局の通信方法であって、
前記伝送信号の伝送量が増加して予め設定された第一の閾値に達したとき、前記伝送信号の周波数帯域のうちの一部のみを透過する帯域制限手順と、
前記伝送信号の伝送量が増加して予め設定された第一の閾値に達したとき、前記帯域制限機能が透過した前記伝送信号のサンプリング周波数を所定値から低下させるサンプリング周波数変更手順と、
前記伝送信号を受信した際にサンプリング周波数が前記所定値から低下しているときに、前記伝送信号のサンプリング周波数を所定値に復元するサンプリング周波数復元手順と、
を行うことを特徴とする。
【００２４】
本発明は、所要帯域が増加してＢＢＵ−ＲＲＵ間の通信容量を超えそうなとき、ＢＢＵ−ＲＲＵ間で伝送される信号に対して周波数軸上で帯域制限をかけた後、サンプリング周波数を低減する。これにより、本発明は、ＢＢＵ−ＲＲＵ間の所要帯域を通信容量以下に保つことができる。ＯＦＤＭベースのシステムのように、システム帯域幅を周波数軸上で複数に分割して各端末へ帯域割当を行う無線システムへ本発明を適用すると、周波数帯域制限をかけるため一部無線端末の信号の電力が抑圧され伝送できないが、他の無線端末の信号を伝送でき、図１１のような、ある時間区間の全ての信号を伝送できない、という現象を回避することができる。
【００２５】
従って、本発明は、所要帯域がＢＢＵ−ＲＲＵ間の通信容量を超える場合であっても任意の無線端末の信号を正しく復調でき、スプリアス発生を防止できる分散型無線通信基地局システム及び分散型無線通信基地局システムの通信方法を提供することができる。
【００２６】
本発明に係る分散型無線通信基地局システムの前記帯域制限機能及び前記サンプリング周波数変更機能は、前記伝送信号の一部周波数帯域の信号のみを透過してサンプリング周波数を所定値から低下させた後、前記伝送信号の伝送量が減少して予め設定された第二の閾値に達したとき、前記伝送信号の帯域制限を解除してサンプリング周波数を所定値に回復することを特徴とする。
【００２７】
本発明に係る分散型無線通信基地局システムの通信方法は、前記帯域制限手順と前記サンプリング周波数変更手順で、前記伝送信号の一部周波数帯域の信号のみを透過してサンプリング周波数を所定値から低下させた後、前記伝送信号の伝送量が減少して予め設定された第二の閾値に達したとき、前記伝送信号の帯域制限を解除してサンプリング周波数を所定値に回復することを特徴とする。
【００２８】
本発明は、所要帯域が減少してＢＢＵ−ＲＲＵ間の通信容量を下回る場合、周波数帯域制限及びサンプリング周波数低減を解除する。ＢＢＵ−ＲＲＵ間の通信容量に余裕が生じた場合、すみやかに周波数帯域制限及びサンプリング周波数低減を解除し、全ての無線端末の信号を伝送可能とする。
【００２９】
本発明に係る分散型無線通信基地局システムの前記サンプリング周波数変更機能は、前記無線端末に無線帯域を割り当てる無線帯域割当情報に基づいて前記伝送信号の伝送量を把握することができる。
【００３０】
本発明に係る分散型無線通信基地局システムの通信方法は、前記サンプリング周波数変更手順で、前記無線端末に無線帯域を割り当てる無線帯域割当情報に基づいて前記伝送信号の伝送量を把握するができる。
【００３１】
本発明に係る分散型無線通信基地局システムの前記サンプリング周波数変更機能は、前記伝送信号から前記無線端末に割り当てられている無線帯域の情報を取得し、前記ＲＲＵ毎のサンプリング周波数の累計値に基づいて前記伝送信号の伝送量を把握することができる。
【００３２】
本発明に係る分散型無線通信基地局システムの通信方法は、前記サンプリング周波数変更手順で、前記伝送信号から前記無線端末に割り当てられている無線帯域の情報を取得し、前記ＲＲＵ毎のサンプリング周波数の累計値に基づいて前記伝送信号の伝送量を把握することができる。
【発明の効果】
【００３３】
本発明は、所要帯域がＢＢＵ−ＲＲＵ間の通信容量を超える場合であっても任意の無線端末の信号を正しく復調でき、スプリアス発生を防止できる分散型無線通信基地局システム及び分散型無線通信基地局システムの通信方法を提供することができる。
【図面の簡単な説明】
【００３４】
【図１】本発明に係る分散型無線通信基地局システムが備えるＲＲＵを説明する図である。
【図２】本発明に係る分散型無線通信基地局システムが備えるＢＢＵを説明する図である。
【図３】本発明に係る分散型無線通信基地局システムの動作例を説明する図である。
【図４】本発明に係る分散型無線通信基地局システムが備えるＲＲＵ側アダプタを説明する図である。
【図５】本発明に係る分散型無線通信基地局システムが備えるＢＢＵ側アダプタを説明する図である。
【図６】本発明に係る分散型無線通信基地局システムの構成を説明する図である。
【図７】本発明に係る分散型無線通信基地局システムの構成を説明する図である。
【図８】ＬＴＥシステムの無線帯域割当手法を説明する図である。
【図９】関連技術の分散型無線通信基地局システムが備えるＲＲＵを説明する図である。
【図１０】関連技術の分散型無線通信基地局システムが備えるＢＢＵを説明する図である。
【図１１】本発明の課題を説明する図である。
【発明を実施するための形態】
【００３５】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００３６】
（実施形態１）
本実施形態の分散型無線通信基地局システムは、無線端末と無線信号を送受信する基地局の機能が信号処理装置（ＢＢＵ：Ｂａｓｅ  Ｂａｎｄ  Ｕｎｉｔ）と無線装置（ＲＲＵ：Ｒｅｍｏｔｅ  Ｒａｄｉｏ  Ｕｎｉｔ）に分割され、前記ＢＢＵと前記ＲＲＵとを光ファイバで接続して前記ＢＢＵと前記ＲＲＵとの間の伝送信号を光信号でＲｏＦ（Ｒａｄｉｏ  ｏｖｅｒ  Ｆｉｂｅｒ）伝送する分散型無線通信基地局システムであって、
前記伝送信号の伝送量が増加して予め設定された第一の閾値に達したとき、前記伝送信号の周波数帯域のうちの一部のみを透過する帯域制限機能と、
前記伝送信号の伝送量が増加して予め設定された第一の閾値に達したとき、前記帯域制限機能が透過した前記伝送信号のサンプリング周波数を所定値から低下させるサンプリング周波数変更機能と、
前記伝送信号を受信した際にサンプリング周波数が前記所定値から低下しているときに、前記伝送信号のサンプリング周波数を所定値に復元するサンプリング周波数復元機能と、
を備えることを特徴とする。
【００３７】
本実施形態の分散型無線通信基地局システムの通信方法は、無線端末と無線信号を送受信する基地局の機能が信号処理装置（ＢＢＵ：Ｂａｓｅ  Ｂａｎｄ  Ｕｎｉｔ）と無線装置（ＲＲＵ：Ｒｅｍｏｔｅ  Ｒａｄｉｏ  Ｕｎｉｔ）に分割され、前記ＢＢＵと前記ＲＲＵとを光ファイバで接続して前記ＢＢＵと前記ＲＲＵとの間の伝送信号を光信号でＲｏＦ（Ｒａｄｉｏ  ｏｖｅｒ  Ｆｉｂｅｒ）伝送する分散型無線通信基地局の通信方法であって、
前記伝送信号の伝送量が増加して予め設定された第一の閾値に達したとき、前記伝送信号の周波数帯域のうちの一部のみを透過する帯域制限手順と、
前記伝送信号の伝送量が増加して予め設定された第一の閾値に達したとき、前記帯域制限機能が透過した前記伝送信号のサンプリング周波数を所定値から低下させるサンプリング周波数変更手順と、
前記伝送信号を受信した際にサンプリング周波数が前記所定値から低下しているときに、前記伝送信号のサンプリング周波数を所定値に復元するサンプリング周波数復元手順と、
を行うことを特徴とする。
【００３８】
図６は、本実施形態の分散型無線通信基地局システム３０１の構成を説明する図である。分散型無線通信基地局システム３０１は、ＢＢＵ１１０と複数のＲＲＵ１２０との間をＰＯＮシステム１３０で接続する。
【００３９】
詳細には、分散型無線通信基地局システム３０１は、１つのＢＢＵ１１０と複数のＲＲＵ１２０とを接続し、ＢＢＵ１１０とＲＲＵ１２０との間を光信号でＲｏＦ伝送するＰＯＮシステム１３０と、
ＰＯＮシステム１３０のＢＢＵ側にあり、ＢＢＵ１１０で扱う信号形式とＰＯＮシステム１３０で伝送可能な信号形式とを相互変換し、ＰＯＮシステム１３０での光信号の衝突を回避する送信タイミングを制御するＯＬＴ（Ｏｐｔｉｃａｌ  Ｌｉｎｅ  Ｔｅｒｍｉｎａｌ）機能部１４０と、
ＰＯＮシステム１３０の前記ＲＲＵ側にあり、ＲＲＵ１２０で扱う信号形式とＰＯＮシステム１３０で伝送可能な信号形式とを相互変換し、ＯＬＴ機能部１４０から指示されたタイミングで上り光信号を送信するＯＮＵ（Ｏｐｔｉｃａｌ  Ｎｅｔｗｏｒｋ  Ｕｎｉｔ）機能部１５０と、
を備える。
【００４０】
例えば、ＰＯＮシステム１３０としてＧＥ−ＰＯＮ（ＩＥＥＥ８０２．３ａｈ）、１０Ｇ−ＥＰＯＮ（ＩＥＥＥ８０２．３ａｖ）等のＴＤＭ−ＰＯＮシステムを適用する場合を考えると、ＯＬＴ機能部１４０とは、下りリンクにおいてＢＢＵ１１０が出力するＩＱデータをＥｔｈｅｒｎｅｔ（登録商標）フレームにマッピングして所定のタイミングで送信する機能や、上りリンクにおいて受信したＥｔｈｅｒｎｅｔ（登録商標）フレームからＩＱデータを抽出する機能を含む。一方、ＯＮＵ機能部１５０とは、下りリンクにおいて受信したＥｔｈｅｒｎｅｔ（登録商標）フレームからＩＱデータを抽出する機能や、上りリンクにおいてＲＲＵ１２０が出力するＩＱデータをＥｔｈｅｒｎｅｔ（登録商標）フレームにマッピングして所定のタイミングで送信する機能を含む。
【００４１】
ＲＲＵ１２０の装置構成例を図１に示す。ＲＲＵ１２０は、ＲＲＵ機能部１２０ａとＯＮＵ機能部１５０に分けられる。ＲＲＵ機能部１２０ａは、図９のＲＲＵ１２０ａの構成に、伸長情報（下り）抽出部８５、圧縮情報（上り）抽出部８６、ベースバンドフィルタ部（上り）２４−１、圧縮部８２、伸長部８１、及びベースバンドフィルタ部３３−１をさらに備える。伸長情報（下り）抽出部８５及び圧縮情報（上り）抽出部８６は、ＢＢＵ１１０が送信した圧縮／伸長情報をフレーム変換部３２で取り出す。ベースバンドフィルタ部（上り）２４−１は、前記圧縮情報に基づき上りリンクの信号に周波数帯域制限をかける。圧縮部８２は、前記圧縮情報に基づきベースバンドフィルタ部（上り）２４−１の出力信号に対してサンプリング周波数を低減する。伸長部８１は、前記伸長情報に基づきＢＢＵ１１０側で変換されたＩＱデータのサンプリング周波数を元のサンプリング周波数に戻す。ベースバンドフィルタ部３３−１は、前記伸長情報に基づき伸長部８１が出力した信号に対してエイリアス信号（折り返し信号）成分を抑圧する。
【００４２】
関連技術のＲＲＵ機能部１２０ａもベースバンドフィルタ部（２４、３３）を有している。本実施形態のベースバンドフィルタ部２４−１は、ベースバンドフィルタ部２４の機能に周波数帯域制限をかけるという機能が追加されている。また、本実施形態のベースバンドフィルタ部３３−１は、ベースバンドフィルタ部３３の機能にエイリアス信号成分を抑圧するという機能が追加されている。
【００４３】
ベースバンドフィルタ部２４−１は、上りリンクに対する前記帯域制限機能にあたる。圧縮部８２は、上りリンクに対する前記サンプリング周波数変更機能にあたる。伸長部８１及びベースバンドフィルタ部３３−１は、下りリンクに対する前記サンプリング周波数復元機能にあたる。
【００４４】
ＢＢＵ１１０の装置構成例を図２に示す。ＢＢＵ１１０は、ＢＢＵ機能部１１０ａとＯＬＴ機能部１４０に分けられる。ＢＢＵ機能部１１０ａは、図１０のＢＢＵ機能部１１０ａの構成に、伸長部８４、ベースバンドフィルタ部８０−１、圧縮部８３、所要帯域算出部９２、及び圧縮／伸長制御部９１をさらに備える。
【００４５】
所要帯域算出部９２は、上りリンク及び下りリンクの信号処理のため、無線帯域割当／符号化率／変調方式決定部９０で決定された無線帯域割当情報に基づいてＢＢＵ−ＲＲＵ間の下りと上り双方の所要帯域を計算する。また、圧縮／伸長制御部９１は、ＢＢＵ１１０とＲＲＵ１２０との間の通信容量に基づく第一の閾値を持つ。第一の閾値は当該通信容量以下に設定されている。圧縮／伸長制御部９１は、所要帯域算出部９２が計算した所要帯域と第一の閾値とを比較し、所要帯域が第一の閾値に達したとき、帯域制限及びサンプリング周波数の低減の指示を行う。具体的には、圧縮／伸長制御部９１は、所要帯域算出部９２が算出した下りリンクの所要帯域に基づいて圧縮部８３で低減するサンプリング周波数、及びベースバンドフィルタ部８０−１で行う帯域制限範囲、並びに所要帯域算出部９２が算出した上りリンクの所要帯域に基づいてＲＲＵ１２０で低減するサンプリング周波数を決定する。伸長部８４は、圧縮／伸長制御部９１が決定したＲＲＵ１２０で低減するサンプリング周波数を基に当該サンプリング周波数を元に戻す。ベースバンドフィルタ部８０−１は、圧縮／伸長制御部９１が決定した帯域制限範囲に基づき、二次変調部５３−１で出力された信号に対して周波数帯域制限をかける。圧縮部８３は、圧縮／伸長制御部９１が決定したサンプリング周波数に基づき、ベースバンドフィルタ部８０−１の出力信号のサンプリング周波数を低減する。
【００４６】
ベースバンドフィルタ部８０−１は、下りリンクに対する前記帯域制限機能にあたる。圧縮部８３は、下りリンクに対する前記サンプリング周波数変更機能にあたる。伸長部８４は、上りリンクに対する前記サンプリング周波数復元機能にあたる。
【００４７】
圧縮／伸長制御部９１が決定したサンプリング周波数情報は、フレーム変換部５１で多重されてＲＲＵ機能部１２０ａへ送信される。ＲＲＵ１２０は、このサンプリング周波数情報を受信することで下りリンクのサンプリング周波数が低減されているか否か、上りリンクのサンプリング周波数を低減するか否かを判断できる。
【００４８】
なお、帯域制限及びサンプリング周波数低減は、所要帯域に応じて動的に変化させてもよい。また、帯域制限及びサンプリング周波数低減は、シンボル毎（図８の例であれば、７１．４μｓ毎）に判断してもよいし、スケジューリング周期の整数倍毎に判断してもよい。
【００４９】
図３は、分散型無線通信基地局システム３０１の動作例を説明する図である。ＢＢＵ１１０は、二次変調部５３−１の出力信号（図３（ａ））に対して、ベースバンドフィルタ部８０−１で周波数帯域制限をかける（図３（ｂ））。また、ＲＲＵ１２０も、同様にＡ／Ｄ変換部２３の出力信号に対して、ベースバンドフィルタ部２４−１で周波数帯域制限をかける。これにより、一部の無線端末への信号電力及び無線端末からの信号電力が抑圧されるが、使用周波数帯域幅が減少するため、その分サンプリング周波数を圧縮部（８２、８３）で低減できる。また、フィルタの通過域に存在する無線端末の信号は正しく復調することができ、ほとんど品質が劣化しない。なお、周波数帯域制限で電力が抑圧された無線端末への信号及び無線端末からの信号は、後に再送処理がなされる。
【００５０】
また、図３のように周波数軸上で一部帯域の信号電力を抑圧するため、ＢＢＵ１１０とＲＲＵ１２０との間の伝送量を通信容量以内とすることができ、図１１のような、ある時間区間のＩＱデータを伝送できないことを回避できる。従って、分散型無線通信基地局システム３０１は、関連技術のように一部信号を伝送できずに振幅値が急激に低下して発生するスプリアスを抑えられる。
【００５１】
優先度が付加されている無線信号が存在する場合、圧縮／伸長制御部９１は、優先度の高い信号に対する影響が最小化されるよう（優先度の高い信号が透過する周波数帯に含まれるように）、帯域制限範囲を決定する。例えば、信号のＱｏＳ（Ｑｕａｌｉｔｙ  ｏｆ  Ｓｅｒｖｉｃｅ）順に高いものが透過帯域に含まれるように決定してもよいし、高いスループットが求められる変調方式の信号が透過帯域に含まれるように決定してもよい。
【００５２】
本実施形態の分散型無線通信基地局システムは、前記帯域制限機能及び前記サンプリング周波数変更機能が、前記伝送信号の一部周波数帯域の信号のみを透過してサンプリング周波数を所定値から低下させた後、前記伝送信号の伝送量が減少して予め設定された第二の閾値に達したとき、前記伝送信号の帯域制限を解除してサンプリング周波数を所定値に回復することを特徴とする。
【００５３】
本実施形態の分散型無線通信基地局システムの通信方法は、前記帯域制限手順及び前記サンプリング周波数変更手順で、前記伝送信号の一部周波数帯域の信号のみを透過してサンプリング周波数を所定値から低下させた後、前記伝送信号の伝送量が減少して予め設定された第二の閾値に達したとき、前記伝送信号の帯域制限を解除してサンプリング周波数を所定値に回復することを特徴とする。
【００５４】
ＢＢＵ−ＲＲＵ間の下りと上り双方の所要帯域が通信容量を超え、帯域制限及びサンプリング周波数低減がなされた後、ＢＢＵ−ＲＲＵ間の下りと上り双方の所要帯域が低下して通信容量を下回った場合、帯域制限を解除してサンプリング周波数を回復させる必要がある。このため、圧縮／伸長制御部９１は、ＢＢＵ１１０とＲＲＵ１２０との間の通信容量に基づく第二の閾値を持つ。第二の閾値は当該通信容量以下且つ第一の閾値以下に設定されている。そして、圧縮／伸長制御部９１は、所要帯域算出部９２が計算した所要帯域と第二の閾値とを比較し、所要帯域が第二の閾値を下回ったとき、帯域制限及びサンプリング周波数の低減の解除指示を行う。具体的には、圧縮／伸長制御部９１は、ベースバンドフィルタ部８０−１に帯域制限を解除する指示を出し、圧縮部８３にサンプリング周波数の低減を中止する指示を出す。また、ＲＲＵ機能部１２０ａへサンプリング周波数の低減を中止した旨のサンプリング周波数情報を送信する。さらに、圧縮／伸長制御部９１は、伸長部８４にサンプリング周波数の復元を中止する指示を出す。
【００５５】
（実施形態２）
なお、図６では、ＢＢＵ１１０がＯＬＴ機能部１４０を有し、ＲＲＵ１２０がＯＮＵ機能部１５０を有する分散型無線通信基地局システム３０１を説明したが、既存のＢＢＵ／ＲＲＵ／ＯＬＴ／ＯＮＵを用いてもよい。図７は、既存のＢＢＵ／ＲＲＵ／ＯＬＴ／ＯＮＵを利用する分散型無線通信基地局システム３０２を説明する図である。分散型無線通信基地局システム３０２は、既存のＢＢＵ１１１と既存のＯＬＴ２２０の間および既存のＲＲＵ１２１と既存のＯＮＵ２４０の間をそれぞれアダプタ（２１０、２３０）で接続し、ＯＬＴ−ＯＮＵ間をＰＯＮシステム１３０で接続することになる。
【００５６】
ＢＢＵ−ＯＬＴ間のアダプタの機能は、ＢＢＵ１１１が出力する下り光信号をＯＬＴの入力インタフェースが認識できる形式の信号へと変換する機能、ＯＬＴが出力する上り信号をＢＢＵ１１１の入力インタフェースが認識できる形式の光信号へと変換する機能、及びＢＢＵ−ＯＬＴ間の伝送信号を圧縮／伸長する機能を含む。
【００５７】
一方、ＯＮＵ−ＲＲＵ間のアダプタの機能は、ＯＮＵが出力する下り信号をＲＲＵ１２１の入力インタフェースが認識できる形式の光信号へと変換する機能、ＲＲＵ１２１が出力する上り光信号をＯＮＵの入力インタフェースが認識できる形式の信号へと変換する機能、及びＢＢＵ−ＯＬＴ間の伝送信号を圧縮／伸長する機能を含む。
【００５８】
図４は、本実施形態のＲＲＵ側アダプタ２３０を説明する図である。ＲＲＵ側アダプタ２３０は、伸長部８１、ベースバンドフィルタ部３３−１、ベースバンドフィルタ部２４−１、圧縮部８２、圧縮／伸長制御部９１ａ、及び所要帯域算出部（上り）９２ａを含む。また、ＲＲＵ１２１は、図９のＲＲＵ機能部１２０ａと同じ構成であり、ＯＮＵ２４０は、図９のＯＮＵ機能部１５０と同じ構成である。
【００５９】
図５は、本実施形態のＢＢＵ側アダプタ２１０を説明する図である。ＢＢＵ側アダプタ２１０は、伸長部８４、ベースバンドフィルタ部２４、ベースバンドフィルタ部８０−１、圧縮部８３、圧縮／伸長制御部９１ｂ、及び所要帯域算出部（下り）９２ｂを含む。また、ＢＢＵ１１１は、図１０のＢＢＵ機能部１１０ａと同じ構成であり、ＯＬＴ２２０は、図１０のＯＬＴ機能部１４０と同じ構成である。
【００６０】
実施形態１では、無線帯域割当情報を基にサンプリング周波数を決定したが、他の決定手法もある。無線信号のＩＱデータから使用周波数帯域情報を抽出して、サンプリング周波数を決定しても良い。
また、伝送量はサンプリング周波数及び量子化ビット数（固定値）にほぼ比例するため、伝送量はサンプリング周波数から推定できる。このため、各ＲＲＵのサンプリング周波数の累計値が一定値を超えないように制御していれば、ＢＢＵ−ＲＲＵ間の所要帯域の合計値は通信容量以下に保つことができる。例えばＢＢＵ側アダプタ２１０を集中制御局として、各ＢＢＵ−ＲＲＵ間のサンプリング周波数情報をアダプタ２１０に集約して、アダプタ２１０からＲＲＵ側アダプタ２３０にサンプリング周波数低減を命令する構成としても良い。
【００６１】
本実施形態は、上記手法を採用する。圧縮／伸長制御部（９１ａ、９１ｂ）は、それぞれＲＲＵ１２１及びＢＢＵ１１１が出力するＩＱデータから周波数帯域情報を抽出し、サンプリング周波数を決定する構成となっている。圧縮／伸長制御部（９１ａ、９１ｂ）がＩＱデータから周波数帯域情報を抽出する方法としては、ＦＦＴ処理を行う等して周波数帯域幅を調べる方法や、制御信号を復調して無線帯域割当情報を抽出する方法がある。また、ＢＢＵ側アダプタ２１０であれば、無線帯域割当情報をＢＢＵ１１１から圧縮／伸長制御部９１ｂに対して通知し、その情報から周波数帯域情報を得て、圧縮／伸長処理を行う構成にすることもできる。制御情報をＢＢＵ側アダプタが復調して上り及び下りの無線帯域割当情報を抽出する場合、その情報を基に圧縮／伸長パラメータの決定及び所要帯域算出を行い、ＲＲＵ側アダプタにパラメータやサンプリング周波数低減命令を通知する構成としても良い。この場合、ＲＲＵ側で所要帯域算出部を置く必要がない。
【００６２】
所要帯域がＢＢＵ−ＲＲＵ間の通信容量を超える場合は、実施形態１の説明と同様に、ＢＢＵ−ＲＲＵ間の任意のＩＱデータに対して、ベースバンドフィルタ部（２４−１、８０−１）で周波数帯域制限を行い、サンプリング周波数を低減する。
【００６３】
［実施形態２の変形１］
ＢＢＵ１１１及びＲＲＵ１２１が光インタフェースで信号をやり取りする場合は、ＢＢＵ１１１−アダプタ２１０間及びアダプタ２３０−ＲＲＵ１２１間にＯ／Ｅ変換及びＥ／Ｏ変換が別途必要となる。
【００６４】
［実施形態２の変形２］
ＢＢＵ１１１及びＲＲＵ１２１に入出力される信号がＣＰＲＩフレーム等のように、制御信号とＩＱデータを時間多重した形式の場合、ＩＱデータだけを抽出して圧縮処理を行っても良い。このＩＱデータの抽出方法として、ＢＢＵ１１１−アダプタ２１０間及びアダプタ２３０−ＲＲＵ１２１間で同期を取り、フレームにおけるＩＱデータの位置が分かるよう設定する等が考えられる。
【００６５】
以下は、本実施形態の分散型無線通信基地局システムを説明したものである。
＜課題＞
関連技術では、ＢＢＵ−ＲＲＵ間のトラヒックが瞬時的に増大した際、ＢＢＵ−ＲＲＵ間の所要帯域が通信容量を超え、すべての無線端末の信号を正しく復調できない可能性がある。
【００６６】
＜解決手段＞
ＢＢＵ−ＲＲＵ間で伝送される信号に対して周波数軸上で帯域制限をかけた後、サンプリング周波数を低減することで、ＢＢＵ−ＲＲＵ間の所要帯域を通信容量以下にして、一部周波数帯域の無線信号を品質劣化無く伝送することができる。
【００６７】
＜効果＞
本実施形態は、無線信号に周波数帯域制限をかけ、ＢＢＵ−ＲＲＵ間の所要帯域を減少する事で、一部周波数帯域の無線信号を品質劣化無く伝送することができる。
【符号の説明】
【００６８】
１１：アンテナ
１２：送受切替部
２１：増幅器
２２：ダウンコンバート部
２３：Ａ／Ｄ変換部
２４、２４−１：ベースバンドフィルタ部（上り）
２５：フレーム変換部
２６：Ｅ／Ｏ変換部
３１：Ｏ／Ｅ変換部
３２：フレーム変換部
３３、３３−１：ベースバンドフィルタ部（下り）
３４：Ｄ／Ａ変換部
３５：アップコンバート部
３６：増幅器
４１：Ｏ／Ｅ変換部
４２：フレーム変換部
４３：変復調部
４３−１：二次復調部
４３−２：デマッピング部
４３−３：一次復調部
４３−４：ＦＥＣ復号化部
４３−５：チャネル品質情報抽出部
５１：フレーム変換部
５３−１：二次変調部
５３−２：マッピング部
５３−３：一次変調部
５３−４：ＦＥＣ符号化部
５２：Ｅ／Ｏ変換部
８０−１：ベースバンドフィルタ部
８１：伸長部
８２：圧縮部
８３：圧縮部
８４：伸長部
８５：伸長情報（下り）抽出部
８６：圧縮情報（上り）抽出部
９０：無線帯域割当／符号化率／変調方式決定部
９１：圧縮／伸長制御部
９１ａ：圧縮／伸長  制御部
９１ｂ：圧縮／伸長  制御部
９２：所要帯域算出部（下り、上り）
９２ａ：所要帯域算出部（上り）
９２ｂ：所要帯域算出部（下り）
１１０、１１１：ＢＢＵ
１１０ａ：ＢＢＵ機能部
１２０、１２１：ＲＲＵ
１２０ａ：ＲＲＵ機能部
１３０：ＰＯＮシステム
１４０：ＯＬＴ機能部
１５０：ＯＮＵ機能部
２１０：アダプタ
２２０：ＯＬＴ
２３０：アダプタ
２４０：ＯＮＵ
３０１、３０２：分散型無線通信基地局システム
【図１】
2014204133.tif 000003
【図２】
2014204133.tif 000004
【図３】
2014204133.tif 000005
【図４】
2014204133.tif 000006
【図５】
2014204133.tif 000007
【図６】
2014204133.tif 000008
【図７】
2014204133.tif 000009
【図８】
2014204133.tif 000010
【図９】
2014204133.tif 000011
【図１０】
2014204133.tif 000012
【図１１】
2014204133.tif 000013